(57)【要約】【課題】ユーザが暗所においても撮影状況に応じた適切な交換レンズを複数の交換レンズの中から選択することができる撮像装置及びカメラシステムを提供する。【解決手段】撮像装置１００は、複数の発光パターンの１つに発光パターンを設定することが可能な操作ボタン群１０７と、夫々異なるパターンで輝く反射部２０３を有する複数の交換レンズ２００が着脱可能に構成されたマウント１０３とを有する。撮像装置１００において、複数の交換レンズ２００の１つからその情報が取得されると、取得された情報に応じて操作ボタン群１０７の発光パターンが設定される。【選択図】図６
2020134652.tif 000002
【特許請求の範囲】
【請求項１】
複数の発光パターンの１つに発光パターンを設定することが可能な第一の識別部と、夫々異なるパターンで輝く第二の識別部を有する複数の交換レンズが着脱可能に構成された着脱部とを有する撮像装置であって、
前記複数の交換レンズの１つからその情報を取得する取得手段と、
前記取得手段により取得された情報に応じて、前記第一の識別部の発光パターンを設定する設定手段とを備えることを特徴とする撮像装置。
【請求項２】
前記取得手段は、前記複数の交換レンズの１つの前記第二の識別部のパターンを前記情報として取得し、
前記設定手段は、前記取得手段により取得されたパターンと一致する発光パターンに、前記第一の識別部の発光パターンを設定することを特徴とする請求項１記載の撮像装置。
【請求項３】
前記取得手段により取得した前記複数の交換レンズの１つの前記第二の識別部のパターンを、ユーザの操作に応じて前記複数の交換レンズのいずれか１つの前記第二の識別部のパターンに上書きする上書手段を更に備え、
前記上書手段による前記情報の上書きがあった場合、前記設定手段は、前記第一の識別部の発光パターンを、前記上書きされたパターンと一致する発光パターンに変更する第１の変更手段を更に備えることを特徴とする請求項１又は２記載の撮像装置。
【請求項４】
前記複数の交換レンズの前記撮像装置への装着履歴を記録する記録手段を更に備え、
前記装着履歴を参照して、前記第一の識別部の発光パターンを発光トリガがある毎に変更する第３の変更手段を更に備えることを特徴とする請求項１乃至３のいずれか１項に記載の撮像装置。
【請求項５】
前記第二の識別部は、反射材及び蓄光材の少なくとも１つにより構成されることを特徴とする請求項１乃至４のいずれか１項に記載の撮像装置。
【請求項６】
前記第一の識別部は、夫々異なる発光パターンで発光する複数の発光部により構成され、
前記設定手段は、前記複数の発光部の夫々の発光パターンのうち、前記取得手段により取得されたパターンと一致する発光パターンに、前記第一の識別部の発光パターンを設定することを特徴つる請求項１乃至５のいずれか１項に記載の撮像装置。
【請求項７】
複数の発光パターンの１つに発光パターンを設定することが可能な第一の識別部を有する撮像装置と、前記撮像装置に着脱可能な、夫々異なるパターンで輝く第二の識別部を有する複数の交換レンズとからなるカメラシステムであって、
前記複数の交換レンズの１つが前記撮像装置に装着されたときに、前記装着された交換レンズから前記撮像装置に前記交換レンズの情報を送信する送信手段と、
前記送信手段により送信された情報に応じて、前記第一の識別部の発光パターンを設定する設定手段とを備えることを特徴とするカメラシステム。
【発明の詳細な説明】
【技術分野】
【０００１】
本発明は、撮像装置及びカメラシステムに関し、特に複数の交換レンズの着脱が可能な交換レンズ取り付け部を有する撮像装置、及び複数の交換レンズと撮像装置からなるカメラシステムに関する。
【背景技術】
【０００２】
暗所において、複数の交換レンズの中から、これから撮像装置に取り付けて使用することを予定している交換レンズを直感的に認識することは極めて難しい。
【０００３】
そのような状況を鑑みて、特許文献１では、外光を蓄光すると暗所にて発光可能な蓄光部材が、撮像装置に着脱可能に取り付けられる部材であるメモリ、及び撮像装置のそのメモリが取り付けられる取り付け部に配設されている。
【先行技術文献】
【特許文献】
【０００４】
【特許文献１】特開２００４−４６０３５号公報
【発明の概要】
【発明が解決しようとする課題】
【０００５】
ここで、特許文献１の撮像装置に着脱可能に取り付けられる部材が交換レンズであると仮定した場合、レンズ鏡筒等の外側面に蓄光部材を配設すれば、その蓄光部材の発光により交換レンズの存在を暗所で認識可能になる。しかし、このような交換レンズが複数存在するカメラシステムにおいて、その複数の交換レンズの中から現在の撮影状況に合わせて適切な交換レンズを選択するというニーズには対応できない。
【０００６】
そこで、本発明は、ユーザが暗所においても撮影状況に応じた適切な交換レンズを複数の交換レンズの中から選択することができる撮像装置及びカメラシステムを提供することである。
【課題を解決するための手段】
【０００７】
本発明の請求項１に係る撮像装置は、複数の発光パターンの１つに発光パターンを設定することが可能な第一の識別部と、夫々異なるパターンで輝く第二の識別部を有する複数の交換レンズが着脱可能に構成された着脱部とを有する撮像装置であって、前記複数の交換レンズの１つからその情報を取得する取得手段と、前記取得手段により取得された情報に応じて、前記第一の識別部の発光パターンを設定する設定手段とを備えることを特徴とする。
【０００８】
本発明の請求項７に係るカメラシステムは、複数の発光パターンの１つに発光パターンを設定することが可能な第一の識別部を有する撮像装置と、前記撮像装置に着脱可能な、夫々異なるパターンで輝く第二の識別部を有する複数の交換レンズとからなるカメラシステムであって、前記複数の交換レンズの１つが前記撮像装置に装着されたときに、前記装着された交換レンズから前記撮像装置に前記交換レンズの情報を送信する送信手段と、前記送信手段により送信された情報に応じて、前記第一の識別部の発光パターンを設定する設定手段とを備えることを特徴とする。
【発明の効果】
【０００９】
本発明によれば、ユーザが暗所においても撮影状況に応じた適切な交換レンズを複数の交換レンズの中から選択することができる。
【図面の簡単な説明】
【００１０】
【図１】本発明の実施例１に係る撮像装置の正面図および背面図である。
【図２】本発明の実施例１に係る交換レンズの正面図および背面図である。
【図３】図１の撮像装置のハードウェア構成を示すブロック図である。
【図４】図３における操作ボタン群の構成図である。
【図５】図１の撮像装置に取り付け可能な各交換レンズに設けられた反射部の構成図である。
【図６】本発明の実施例１に係る図４の操作ボタン群の発光動作制御処理を説明するための図である。
【図７】本発明の実施例１に係る図４の操作ボタン群の発光動作制御処理のフローチャートである。
【図８】本発明の実施例２に係る図７のサブステップＳＳ９００のユーザ設定処理を説明するための図である。
【図９】本発明の実施例２に係る図７のサブステップＳＳ９００のユーザ設定処理のフローチャートである。
【図１０】本発明の実施例３に係る図７のサブステップＳＳ１１００の発光順序設定処理を説明するための図である。
【図１１】本発明の実施例３に係る図７のサブステップＳＳ１１００発光順序設定処理のフローチャートである。
【発明を実施するための形態】
【００１１】
以下に、本発明の好ましい実施の形態を、添付の図面に基づいて詳細に説明する。
【実施例１】
【００１２】
図１（Ａ）は、本実施例に係る撮像装置１００の正面図および、図１（Ｂ）は撮像装置１００の背面図である。具体的には、図１は、複数の交換レンズ２００ａ〜ｃ（以下、総称する場合、交換レンズ２００と称す）（後述の図２参照）がいずれも撮像装置１００に取り付けられていない状態を示している。
【００１３】
撮像装置１００は、グリップ部１０１、レリーズスイッチ１０２、マウント１０３、接点部１０４、画像表示部１０５、メインスイッチ１０６、操作ボタン群１０７、及び受光窓１０８を備える。
【００１４】
図１（Ａ）に示す様に、グリップ部１０１は、ユーザが撮像装置１００を安定して握り易いように前方に突出して構成される。
【００１５】
レリーズスイッチ１０２は、グリップ部１０１の上部に配置される二段階押しが可能なスイッチであり、第１ストローク（半押し）でスイッチＳ１がオンし、第２ストローク（全押し）にてスイッチＳ２がオンする。
【００１６】
マウント１０３（着脱部）は、公知のバヨネット式マウントであり、交換レンズ２００  が撮像装置１００に着脱可能となるように構成されている。
【００１７】
接点部１０４は、交換レンズ２００と電気的通信を可能とするための接点であり、交換レンズ２００が撮像装置１００に取り付けられた場合にこれを検知する。また接点部１０４はレンズ接点２０５と接触して後述する撮像レンズ２０２の複数のレンズ群及び可動絞りの駆動制御情報を送信したり、交換レンズ２００の情報を交換レンズ２００から受信したりするための電気的接点である。
【００１８】
画像表示部１０５は、図１（Ｂ）に示す様に、撮像装置１００の背面中央付近に設けられ、撮影中のライブビュー画像の確認や、撮影後の画像確認、あるいは撮像装置１００の設定表示等を行う。
【００１９】
メインスイッチ１０６は、画像表示部１０５の上部に設けられており、ユーザはメインスイッチ１０６を操作することにより、電源３０７（後述の図３参照）から撮像装置１００の各部への電力供給の開始および終了を指示することができる。
【００２０】
操作ボタン群１０７は、画像表示部１０５の横に配置されており、ユーザは画像表示部１０５に表示されるメニュー画面に従って操作ボタン群１０７を操作することにより、撮像装置１００の各種設定の変更を行うことができる。かかる変更があった場合、画像表示部１０５にはその変更後の設定状況が表示される。また、操作ボタン群１０７（第一の識別部）は図４にて後述するように、発光素子としてＬＥＤ４０８を有している。その目的は、ユーザが暗所での撮像装置１００の認識性を高め、図６にて後述するように撮影状況に応じた撮像装置１００と交換レンズ２００の適切な組み合わせの認識性を高めるためである。
【００２１】
受光窓１０８は、図３にて後述するように撮像装置１００が暗所にあるか否かを判別をするため、受光素子３０９に外光を入照させるための窓部材であり、操作ボタン群１０７の下部に配置される。
【００２２】
図２（Ａ）は、本発明の実施例に係る交換レンズ２００の正面図および、図２（Ｂ）は背面図である。
【００２３】
交換レンズ２００は、鏡筒２０１によって外観を構成されており、鏡筒２０１に撮像レンズ２０２、反射部２０３、レンズマウント２０４、及びレンズ接点２０５が配置されている。
【００２４】
撮像レンズ２０２は、被写体像光を撮像素子３０４（後述の図３参照）の撮像面に結像させる光学系であり、光学系の焦点位置を調節するための不図示の焦点レンズを含む複数のレンズ群及び可動絞りによって構成される。また、図２において不図示であるが、撮像レンズ２０２の構成する上述の複数のレンズ群及び可動絞りは、ＤＣモーター、ステッピングモータ、超音波モーター等を動力源とした駆動系により動作する。
【００２５】
反射部２０３は、交換レンズ２００の外側面に設けられた発光部であり、図５にて後述するように再帰性反射材で構成されている。その目的は、操作ボタン群１０７と同様、暗所での交換レンズ２００の認識性を高め、撮影状況に応じた撮像装置１００と交換レンズ２００の適切な組み合わせの認識性を高めるためである。ここで、撮像装置１００側の発光部となる操作ボタン群１０７にはＬＥＤ４０８のように電力を用いて発光する素子が設定してあるのに対して、交換レンズ２００側の発光部には電力を要しない反射部２０３を設定している。これは、撮像装置１００は電力供給源として電源３０７を有しているが、交換レンズ２００は電力供給源となるものを有していないので、撮像装置１００に取り付けられていない場合も発光可能となるようにするためである。
【００２６】
レンズマウント２０４は、交換レンズ２００  をマウント１０３に着脱可能とするための部材である。
【００２７】
レンズ接点２０５は接点部１０４と接触して撮像レンズ２０２を構成する上述の複数のレンズ群及び可動絞りの駆動制御情報を受信したり、交換レンズ２００の情報を撮像装置１００に送信したりするための電気的接点（通信部）である。
【００２８】
図３は、撮像装置１００のハードウェア構成を示すブロック図である。ここで、図３に示す各矢印は、その各ハードウェア構成部品の接続状況を示す。尚、図３において、図１，２とで前述した構成については同じ付番を付し、重複した説明は省略する。
【００２９】
撮像装置１００は、システム制御基板３０１、ＣＰＵ（中央演算処理装置）３０２、メモリ３０３、撮像素子３０４、シャッタ駆動部３０５、レンズ通信部３０６、電源３０７、シャッタ３０８、受光素子３０９、及び本体フレーム３１０を備える。
【００３０】
システム制御基板３０１は、ＣＰＵ３０２が実装される基板である。
【００３１】
ＣＰＵ３０２は、撮像装置１００全体の動作制御を行うものであり、各要素に対して様々な処理や指示を実行する。
【００３２】
メモリ３０３は、撮像装置１００の撮像動作に関する情報を記録するとともに、撮影画像データの保存先として利用可能に構成される。
【００３３】
電源３０７は、ＣＰＵ３０２その他の撮像装置１００内の回路の各部に電力の供給を行う電源供給源であり、ユーザによるメインスイッチ１０６の操作に応じて、撮像装置１００内の回路の各部への電力供給を開始・終了する。電源３０７は、リチウムイオン充電池、乾電池、ＡＣアダプタなど、撮像装置１００に電力を供給可能であれば、いずれの形態の物が適用されても良い。
【００３４】
撮像素子３０４は、その撮像面に交換レンズ２００により結像された被写体像光を電気信号に変換する撮像デバイスであり、本実施例ではＣＭＯＳが用いられる。但し、撮像素子３０４として用いられる撮像デバイスはＣＭＯＳに限定されず、ＣＣＤやＣＩＤ（電荷注入素子）等の他の撮像デバイスを採用してもよい。また、後述のように撮像素子３０４は、測距及び測光動作が可能に構成される。
【００３５】
シャッタ３０８は、撮像素子３０４と交換レンズ２００の間に設けられ、露光時間を制御する。シャッタ３０８は、公知のフォーカルプレーンシャッターである。
【００３６】
シャッタ駆動部３０５は、ＤＣモーター、ステッピングモータ、超音波モーター等を動力源とした駆動系により構成され、シャッタ３０８を駆動する。
【００３７】
ＣＰＵ３０２は、レリーズスイッチ１０２が半押しされてＳ１がオンになると測距および測光動作を行わせるべく撮像素子３０４を駆動制御する。撮像素子３０４で得られた測距情報と測光情報はＣＰＵ３０２に出力される。ＣＰＵ３０２はこの測距情報と測光情報を、レンズ通信部３０６に送る。
【００３８】
レンズ通信部３０６は、ＣＰＵ３０２から送られた測距情報と測光情報に基づいて、交換レンズ２００の撮像レンズ２０２に含まれる焦点レンズと可動絞りの駆動を行う。
【００３９】
また、ＣＰＵ３０２は、レリーズスイッチ１０２が全押しされてＳ２がオンになるとシャッタ３０８および撮像素子３０４を駆動して撮像動作を行う。
【００４０】
撮像動作が開始されると撮像素子３０４は入射された光を光電変換により、電気信号に変換した後、ＣＰＵ３０２に出力する。ＣＰＵ３０２に出力された電気信号はＪＰＥＧなどの画像変換処理を経て、メモリ３０３に画像データとして記録される。尚、本実施例内での画像データは、公知のＥｘｉｆ（Ｅｘｃｈａｎｇｅａｂｌｅ  Ｉｍａｇｅ  Ｆｉｌｅ  Ｆｏｒｍａｔ）のファイルフォーマットに準拠する。
【００４１】
受光素子３０９は、フォトダイオード等の光検出素子によって構成され、受光窓１０８から入照された外光量を判断して、撮像装置１００が現在暗所にあるか否かを判別する。
【００４２】
本体フレーム３１０は、撮像装置１００を内部から補強するとともに、撮像装置１００を構成する各ハードウェア構成部品を保持する。
【００４３】
光軸３１１は、光学系の中心を示す。
【００４４】
図４は、操作ボタン群１０７の構成図である。具体的には、図４（Ａ）は、操作ボタン群１０７の正面図であり、図４（Ｂ）は図４（Ａ）のＸ−Ｘ断面図である。
【００４５】
操作ボタン１０７ａ，１０７ｂ，１０７ｃは、異なる発光色Ｌａ，Ｌｂ，Ｌｃで発光可能に構成される。すなわち、暗所でこれらをユーザが識別をするための発光パターンとして発光色が用いられる。尚、発光パターンとして、本実施例では発光色が用いられているが、発光間隔や発光色の切り替わり順序等、ユーザが操作ボタン１０７ａ，１０７ｂ，１０７ｃの識別が可能であれば特に制限は設けない。
【００４６】
尚、操作ボタン１０７ａ，１０７ｂ，１０７ｃの発光色は異なるが構成は同一であるため、以下、操作ボタン１０７ａを代表例として構成を説明する。
【００４７】
操作ボタン１０７ａは本体フレーム３１０に設けられた孔部４０１に嵌合するように配置されている。操作ボタン１０７ａは、透光するように構成された中央部４０２と、遮光するように構成された外周部４０３から構成される。
【００４８】
中央部４０２は、撮像装置１００の内部に向かって透光するように構成された押し子４０４と一体に形成される。
【００４９】
基板４０５は、操作ボタン１０７ａの下部に配置されており、照光スイッチ４０６が実装されている。
【００５０】
照光スイッチ４０６は、タクトスイッチ部４０７とＬＥＤ４０８から構成されており、そのそれぞれが照光スイッチ４０６内部の不図示の配線が接続される。また、照光スイッチ４０６の配線は基板４０５の不図示の配線とも接続されて、システム制御基板３０１に接続される。タクトスイッチ部４０７は公知のタクトスイッチであり、押し子４０４によって押下されることでＯＮ／ＯＦＦ状態が切り替わる。これによりタクトスイッチ部４０７は操作ボタン１０７ａが押下されているか否かを判定する。ＬＥＤ４０８はＬＥＤ等の電子発光素子で構成されておりＣＰＵ３０２の指示に基づいて発光／非発光の状態を切り替える。ＬＥＤ４０８は本実施例では単色のＬＥＤで構成されているが、赤・青・緑の３色のＬＥＤで構成して発光色が調整可能となるように構成してもよい。
【００５１】
中央部４０２と押し子４０４は透光するように構成されているので、ＬＥＤ４０８の発光色で操作ボタン１０７ａは照光される。よってユーザはかかる発光により暗所においても撮像装置１００の外観から操作ボタン１０７ａを認識できる。
【００５２】
本体フレーム３１０は、その一部が操作ボタン１０７ａの外周に位置する壁部４０９を構成している。これにより、他の操作ボタン１０７ｂ，１０７ｃに操作ボタン１０７ａのＬＥＤ４０８からの発光が入照したり、逆に他の操作ボタン１０７ｂ，１０７ｃのＬＥＤ４０８からの発光が操作ボタン１０７ａに入照したりすることによる、発光色の変化を防止する。
【００５３】
図５は、撮像装置１００に取り付け可能な各交換レンズ２００ａ，２００ｂ，２００ｃに設けられた反射部２０３の構成図である。具体的には、図５（Ａ）は、交換レンズ２００ａ，２００ｂ，２００ｃの外側面図であり、図５（Ｂ）は図５（Ａ）のＹ−Ｙ断面図である。
【００５４】
図５（Ａ）に示す様に、焦点距離や開放絞り値などが異なる交換レンズ２００ａ，２００ｂ，２００ｃの反射部２０３（第二の識別部）は、異なる着色Ｒａ，Ｒｂ，Ｒｃで再帰性反射を行うように構成される。すなわち、暗所でこれらをユーザが識別するための反射パターンとして着色が用いられる。尚、反射部２０３の反射パターンは交換レンズ２００ａ，２００ｂ，２００ｃで異なるが、反射部２０３の構成は同一であるため、以下、交換レンズ２００ａの反射部２０３を代表例として構成を説明する。
【００５５】
図５（Ｂ）に示す様に、反射部２０３は公知の再帰性反射材で構成されており、保護層５０１と再帰性反射を可能とするためのガラスビーズ５０２と反射層５０３の順に基材５０４上に積層されている。反射層５０３は着色Ｒａとなるように着色されており、それにより交換レンズ２００ａ，２００ｂ，２００ｃの夫々の反射パターンが識別できるようになっている。尚、反射パターンとして、本実施例では着色が用いられているが、格子やドットパターン等の模様など、ユーザが交換レンズ２００ａ，２００ｂ，２００ｃの夫々の識別が可能なパターンであれば、特に制限は設けない。さらには、暗所にて異なるパターンで輝くことによりユーザが交換レンズ２００ａ，２００ｂ，２００ｃの夫々の識別が可能な構成であれば、反射部２０３を、外光を蓄光すると暗所にて発光可能な蓄光材で構成するようにしてもよい。この場合、反射パターンではなく発光パターンが交換レンズ２００ａ，２００ｂ，２００ｃの夫々において異なる。
【００５６】
以下、本実施例に係る、撮像装置１００及び交換レンズ２００ａ，２００ｂ，２００ｃにより構成されるカメラシステムにおける操作ボタン群１０７の発光動作制御処理を説明する。
【００５７】
図６は、本実施例に係る操作ボタン群１０７の発光動作制御処理を説明するための図である。本処理は、反射部２０３の着色に操作ボタン群１０７の発光色を合致させることで、暗所においても撮影状況に応じた撮像装置１００と交換レンズ２００の適切な組み合わせの認識性を高める目的がある。具体的には、着色Ｒａは発光色Ｌａ、着色Ｒｂは発光色Ｌｂ、着色Ｒｃは発光色Ｌｃに予め色味を一致させておく。その後、ユーザが着色Ｒａの反射部２０３を有する交換レンズ２００ａの使用を考えている場合は、図６（Ａ）に示す様に、発光トリガにより操作ボタン１０７ａの発光色Ｌａで発光するＬＥＤ４０８を点灯し、発光色と着色を一致させる。これにより、交換レンズ２００ａ，２００ｂ，２００ｃのうち、撮影状況に応じた撮像装置１００との適切な組み合わせとなる交換レンズの認識性を高める。
【００５８】
図７は、本実施例に係る操作ボタン群１０７の発光動作制御処理のフローチャートである。本処理は撮像装置１００のＣＰＵ３０２により実行される。
【００５９】
ステップＳ７０１にて接点部１０４がユーザによって撮像装置１００に交換レンズ２００が取り付けられたことを検知すると、ステップＳ７０２に進む。
【００６０】
ステップＳ７０２にてレンズ通信部３０６が交換レンズ２００と通信を行い反射部２０３の着色情報を取得し、メモリ３０３に保管する。
【００６１】
ステップＳ７０３にてＣＰＵ３０２が、ステップＳ７０２で取得された着色情報を上書きしてユーザ独自の設定で発光するかの確認を行うための画面を画像表示部１０５に表示する。この画面上でユーザが着色設定の上書きをすることを選択した場合は図９にて後述するサブステップＳＳ９００に進み、そうでない場合はステップＳ７０４に進む。
【００６２】
ステップＳ７０４にてＣＰＵ３０２が、操作ボタン群１０７の発光順序設定を行うかの確認を行うための画面を画像表示部１０５に表示する。この画面上でユーザが操作ボタン群１０７の発光順序設定を行うことを選択した場合は、図１１にて後述するサブステップＳＳ１１００に進み、そうでない場合はステップＳ７０５に進む。
【００６３】
ステップＳ７０５では、ＣＰＵ３０２はステップＳ７０２で取得した着色情報に基づいて発光色情報を設定する。具体的には、ステップＳ７０１で交換レンズ２００ａが取り付けられた場合は、ステップＳ７０２で着色情報として着色Ｒａが取得されるので、着色Ｒａと合致する発光色Ｌａを発光色情報に設定し、メモリ３０３に保管する。
【００６４】
ステップＳ７０６にて受光素子３０９が、撮像装置１００は現在暗所にあると判別し、さらにステップＳ７０７にてＣＰＵ３０２が発光トリガが検出した場合、ステップＳ７０８に進む。
【００６５】
ステップＳ７０８にて、ＣＰＵ３０２はステップＳ７０５でメモリ３０３に保管した発光色情報に基づいて操作ボタン１０７ａ〜１０７ｃのいずれかのＬＥＤ４０８を発光させる。ここで、発光トリガとしては、受光素子３０９の検出結果のみを用いてもよいし、受光素子３０９の検出結果とレリーズスイッチ１０２、メインスイッチ１０６、操作ボタン群１０７などの操作部材が操作された状況との組み合わせなどを用いてもよい。
【００６６】
以上図７の処理によれば、ステップＳ７０８で発光するＬＥＤ４０８の発光色と、ステップＳ７０１で撮像装置１００に取り付けられた交換レンズ２００の反射部２０３の着色とが合致する。その結果、暗所において、ステップＳ７０２の処理後、交換レンズ２００ａ〜ｃが撮像装置１００から取り外された状態で置かれても、撮影状況に応じた撮像装置１００との適切な組み合わせとなる交換レンズがどれであるかをユーザは認識することができる。
【実施例２】
【００６７】
実施例１においては、撮像装置１００の操作ボタン群１０７における発光色と、交換レンズ２００ａ〜ｃのうちユーザが使用を考えている交換レンズの反射部２０３における着色の色味を合致させる。これにより、暗所においても交換レンズ２００ａ〜ｃのいずれが撮影状況に応じた撮像装置１００との適切な組み合わせとなる交換レンズであるかをユーザが認識できるようにした。
【００６８】
これに対し、本実施例では、ユーザが使用を考えている交換レンズの反射部における着色とは色味が異なる発光色（図８の例では着色Ｒａに対して発光色Ｌｂ）に、ユーザが撮像装置１００の操作ボタン群１０７における発光色を設定できるようにする。
【００６９】
尚、実施例１と同じ構成については、同じ符号を用い、重複した説明は省略する。
【００７０】
このように、本実施例では、ステップＳ７０２での着色情報の取得後に、取得した着色情報を上書きしてユーザ独自の設定で撮像装置１００における操作ボタン群１０７を発光させるユーザ設定処理（図７のサブステップＳＳ９００）が実行される。図９では、このユーザ設定処理の詳細を説明する。
【００７１】
図９において、まず、ステップＳ９０１にてＣＰＵ３０２は、ユーザが独自に発光色を設定するためのメニユー画面（図８）を画像表示部１０５に表示する。
【００７２】
ステップＳ９０２にてＣＰＵ３０２は、ユーザがメニュー画面の表示内容に従って操作ボタン群１０７の１つを操作したことを検知すると、その操作に応じてステップＳ７０２でメモリ３０３に保管された着色情報を上書きする。例えば、ステップＳ７０１で交換レンズ２００ａが取り付けられた場合、ステップＳ７０２で着色情報として着色Ｒａが取得される。この場合、図８のメニュー画面には標準設定として、着色Ｒａと色味が合致する発光色Ｌａが表示される。その後、ステップＳ９０２で操作ボタン１０７ｂのユーザによる押下があった場合、ステップＳ９０３で操作ボタン１０７ｂの発光色Ｌｂと色味が合致する着色Ｒｂにメモリ３０３に保管された着色情報が上書きされる。またこの場合、図８のメニュー画面には撮影者設定として発光色Ｌｂが表示される。
【００７３】
その後、ステップＳ９０３にてＣＰＵ３０２は、ステップＳ９０２で上書きした着色情報に基づいて発光色情報を設定し、本処理を終了する。例えば、上述の通り着色Ｒｂにメモリ３０３に保管された着色情報が上書きされた場合、着色Ｒｂと色味が合致する発光色Ｌｂに発光色情報が設定される。
【００７４】
以上図９の処理によれば、ステップＳ７０１で撮像装置１００に取り付けられた交換レンズ２００の反射部２０３の着色とは異なる色味の発光色のＬＥＤ４０８を発光するようユーザは独自に設定できる。
【実施例３】
【００７５】
実施例１および実施例２においては、１つの撮影状況において撮像装置１００には交換レンズ２００ａ〜ｃの１つが取り付けられた。これに対し、本実施例では、複数の交換レンズ２００ａ〜ｃを携行し、複数の撮影状況の夫々に応じたものへユーザが順次交換できるようにする。
【００７６】
尚、実施例１、実施例２と同じ構成については、同じ符号を用い、重複した説明は省略する。
【００７７】
図１０は、本実施例に係る図７のサブステップＳＳ１１００の発光順序設定処理を説明するための図である。
【００７８】
図１０（Ａ）に示す様に、撮像装置１００への交換レンズ２００ａ〜ｃの１つが装着される毎に、ＣＰＵ３０２は、その装着順序情報及び装着された交換レンズの反射部２０３の着色情報をレンズ通信部３０６を介してメモリ３０３の装着履歴に順次記録する。
【００７９】
続いて、ＣＰＵ３０２がメモリ３０３に記録された上記装着履歴に応じて操作ボタン群１０７の発光順序及びその発光色情報からなる発光順序情報を設定する。この際、図１０（Ｂ）に示す様に、ＣＰＵ３０２はその発光順序情報を示す画面を画像表示部１０５に表示する。
【００８０】
最後に発光トリガが検出される毎に、図１０（Ｃ）に示す様に、操作ボタン群１０７が図１０（Ｂ）の画面に表示される発光順序情報に応じた発光色のＬＥＤ４０８の発光を行う。
【００８１】
例えば着色Ｒａの反射部２０３を有する交換レンズ２００ａ、着色Ｒｂの反射部２０３を有する交換レンズ２００ｂ、着色Ｒｃの反射部２０３を有する交換レンズ２００ｃの順に各撮影状況に応じた交換が必要である場合を仮定する。この場合、ユーザは予め上記順に交換レンズ２００ａ〜ｃを装着するだけで、暗所において発光トリガが検出される毎に、操作ボタン群１０７を発光色Ｌａ，Ｌｂ，Ｌｃの順に発光させることができる。
【００８２】
このように、本実施例では、ｎ番目の発光順序の操作ボタン群１０７の発光色には、装着履歴としてメモリ３０３に記録されるｎ番目の装着順序の反射部２０３の着色に色味が合致したものが設定される。かかる設定を行う処理が図７中のサブステップ１１００で実行される発光順序設定処理である。図１１では、この発光順序設定処理の詳細を説明する。
【００８３】
尚、本処理は、ステップＳ７０４でユーザが操作ボタン群１０７の発光順序設定を行うことを選択した場合、ステップＳ７０２で取得した着色情報についてその装着順序を１とする装着順序情報が対応づけられた装着履歴が作成された後に開始される。
【００８４】
図１１において、まず、ステップＳ１１０１にて、ＣＰＵ３０２は、装着履歴を追加するか、すなわち発光順序情報に現在以上に発光設定を追加するか否かを確認する画面を画像表示部１０５に表示する。この画面上でユーザが装着履歴を追加することを選択した場合は、ステップＳ１１０２に進む。
【００８５】
ステップＳ１１０２にて接点部１０４がユーザによって撮像装置１００に交換レンズ２００が取り付けられたことを検知する毎に、ＣＰＵ３０２は、装着された交換レンズ２００の反射部２０３の着色情報をレンズ通信部３０６を介して取得する。さらに、ＣＰＵ３０２は、その取得した着色情報を装着順序情報と共にメモリ３０３の装着履歴に追加し、ステップＳ１１０１に戻る。一方、ステップＳ１１０１にて、ユーザが装着履歴を追加することを選択しなかった場合は、ステップＳ１１０３に進む。
【００８６】
ステップＳ１１０３では、ＣＰＵ３０２は、メモリ３０３の装着履歴の装着順序情報及び着色情報をもとに操作ボタン群１０７の発光順序情報の仮設定を行い、その仮設定された発光順序情報を画像表示部１０５に表示する。
【００８７】
ステップＳ１１０４では、ＣＰＵ３０２は、ユーザが発光順序情報の発光設定を変更するか、すなわち発光順序の変更や装着履歴の削除を行うか否かを確認する画面を画像表示部１０５に表示する。この画面上でユーザが発光順序情報の発光設定の変更を選択した場合、ステップＳ１１０５に進み、そうでない場合はステップＳ１１０６に進む。
【００８８】
ステップＳ１１０５では、ＣＰＵ３０２は、不図示のオプションメニューを画像表示部１０５に表示し、ユーザの操作内容に応じて発光順序情報の発光設定を変更する。例えば、ＣＰＵ３０２は、ユーザがこのオプションメニューの表示内容に従って操作ボタン群１０７の１つを操作したことを検知すると、その操作に応じて発光順序の変更を行う。その後、その変更後の発光順序情報を画像表示部１０５に表示する。
【００８９】
ステップＳ１１０６では、ＣＰＵ３０２は、ユーザが発光順序情報の発光設定を完了するか否かを確認する画面を画像表示部１０５に表示する。この画面上でユーザが完了することを選択すると本処理を終了する。
【００９０】
尚、本実施例では、ステップＳ７０７の発光トリガは、発光順序情報の発光設定数だけ生じる。具体的には、第１回目の発光トリガは、ステップＳ７０７で受光素子３０９が暗所であることを検出したときであり、それ以降の発光トリガは、撮像装置１００から交換レンズ２００が取り外されたことを接点部１０４が検知したときである。
【００９１】
以上図１１の処理によれば、予め交換レンズ２００ａ〜ｃをその順に撮像装置１００に装着すると、装着履歴に着色Ｒａ，Ｒｂ，Ｒｃの順で着色情報が記録され、その装着情報をもとに発光色Ｌａ，Ｌｂ，Ｌｃの順に発光するための発光順序情報が設定される。可能となるので、ユーザは暗所において撮影状況に応じた交換レンズ２００の装着順序が認識性を高めることができる。
【００９２】
以上、本発明の好ましい実施形態について説明したが、本発明はこれらの実施形態に限定されず、その要旨の範囲内で種々の変形及び変更が可能である。
【符号の説明】
【００９３】
１００  撮像装置
１０３  マウント
１０７  操作ボタン群
２００  交換レンズ
２０３  反射部
３０２  ＣＰＵ
３０３  メモリ
３０６  レンズ通信部
３０９  受光素子
４０８  ＬＥＤ
５０２  ガラスビーズ
５０３  反射層
【図１】
2020134652.tif 000003
【図２】
2020134652.tif 000004
【図３】
2020134652.tif 000005
【図４】
2020134652.tif 000006
【図５】
2020134652.tif 000007
【図６】
2020134652.tif 000008
【図７】
2020134652.tif 000009
【図８】
2020134652.tif 000010
【図９】
2020134652.tif 000011
【図１０】
2020134652.tif 000012
【図１１】
2020134652.tif 000013